【手続補正書】
【提出日】平成20年9月26日(2008.9.26)
【手続補正１】
【補正対象書類名】明細書
【補正対象項目名】発明の名称
【補正方法】変更
【補正の内容】
【発明の名称】画像形成装置及びその制御方法
【手続補正２】
【補正対象書類名】明細書
【補正対象項目名】特許請求の範囲
【補正方法】変更
【補正の内容】
【特許請求の範囲】
【請求項１】  原稿を画像データとして読み取るリーダーと、画像データをシート材に画像形成するプリンタと、前記リーダーからの画像データを受け取って画像メモリに一時的に記憶し、その画像メモリから前記プリンタへ画像データを送出するコントローラとを備えた画像形成装置において、
前記コントローラは、
前記リーダーからの１枚の原稿の画像データを前記画像メモリへ書き込み終える前に前記画像メモリから前記プリンタに対して当該原稿の画像データを送出し始める場合、前記リーダーに関する情報と前記プリンタに関する情報とに基づいて画像データを送出するタイミングを決定する手段を有することを特徴とする画像形成装置。
【請求項２】  原稿を画像データとして読み取るリーダーと、
画像データをシート材に画像形成するプリンタと、
前記リーダーからの画像データを受け取って画像メモリに一時的に記憶し、その画像メモリから前記プリンタへ画像データを送出するコントローラと、
前記リーダーの副走査側の読み取り速度であるリーダープロセススピードを前記リーダーから前記コントローラへ通知するリーダープロセススピード通知手段と、
前記プリンタの副走査側の印字速度であるプリンタプロセススピードを前記プリンタから前記コントローラへ通知するプリンタプロセススピード通知手段とを備え、
前記コントローラは、
１枚の原稿の画像データを前記リーダーから前記画像メモリへ書き込み終える前に前記画像メモリから前記プリンタに対して当該原稿の画像データを送出し始める場合、前記リーダープロセススピードと前記プリンタプロセススピードの差分と、前記画像データの副走査サイズとに基づいて画像データを送出するタイミングを算出する手段を有することを特徴とする画像形成装置。
【請求項３】  原稿を画像データとして読み取るリーダーと、
画像データをシート材に画像形成するプリンタと、
前記リーダーからの画像データを受け取って画像メモリに一時的に記憶し、その画像メモリから前記プリンタへ画像データを送出するコントローラと、
リーダー種別を表すリーダーＩＤを前記リーダーから前記コントローラへ通知するリーダーＩＤ通知手段と、
プリンタ種別を表すプリンタＩＤを前記プリンタから前記コントローラへ通知するプリンタＩＤ通知手段と、
前記リーダーの副走査側の読み取り速度であるリーダープロセススピードを前記各リーダーＩＤに対応させたテーブルであるリーダープロセススピードテーブルと、
前記プリンタの副走査側の印字速度であるプリンタプロセススピードを前記各プリンタＩＤに対応させたテーブルであるプリンタプロセススピードテーブルとを備え、
前記コントローラは、
１枚の原稿の画像データを前記リーダーから前記画像メモリへ書き込み終える前に前記画像メモリから前記プリンタに対して当該原稿の画像データを送出し始める場合、前記リーダーＩＤにより前記リーダープロセススピードテーブルを参照して得られるリーダープロセススピードと前記プリンタＩＤにより前記プリンタプロセススピードテーブルを参照して得られるプリンタプロセススピードの差分と、前記画像データの副走査サイズとに基づいて画像データを送出するタイミングを算出する手段を有することを特徴とする画像形成装置。
【請求項４】  原稿を画像データとして読み取るリーダーと、
画像データをシート材に画像形成するプリンタと、
前記リーダーからの画像データを受け取って画像メモリに一時的に記憶し、その画像メモリから前記プリンタへ画像データを送出するコントローラと、
前記リーダーの単位時間当たりの読み取り枚数を示すリーダー単位時間読み取り枚数を前記リーダーから前記コントローラへ通知するリーダー単位時間読み取り枚数通知手段と、
前記プリンタの単位時間当たりの印字枚数を示すプリンタ単位時間印字枚数を前記プリンタから前記コントローラへ通知するプリンタ単位時間印字枚数通知手段と、
前記リーダーの副走査側の読み取り速度であるリーダープロセススピードを前記各リーダー単位時間読み取り枚数に対応させたテーブルであるリーダープロセススピードテーブルと、
前記プリンタの副走査側の印字速度であるプリンタプロセススピードを前記各プリンタ単位時間印字枚数に対応させたテーブルであるプリンタプロセススピードテーブルとを備え、
前記コントローラは、
１枚の原稿の画像データを前記リーダーから前記画像メモリへ書き込み終える前に前記画像メモリから前記プリンタに対して当該原稿の画像データを送出し始める場合、前記リーダー単位時間読み取り枚数により前記リーダープロセススピードテーブルを参照して得られるリーダープロセススピードと前記プリンタ単位時間印字枚数により前記プリンタプロセススピードテーブルを参照して得られるプリンタプロセススピードの差分と、前記画像データの副走査サイズとに基づいて画像データを送出するタイミングを算出する手段を有することを特徴とする画像形成装置。
【請求項５】  原稿を画像データとして読み取るリーダーと、
画像データをシート材に画像形成するプリンタと、
前記リーダーからの画像データを受け取って画像メモリに一時的に記憶し、その画像メモリから前記プリンタへ画像データを送出するコントローラと、
リーダー種別を表すリーダーＩＤを前記リーダーから前記コントローラへ通知するリーダーＩＤ通知手段と、
プリンタ種別を表すプリンタＩＤを前記プリンタから前記コントローラへ通知するプリンタＩＤ通知手段と、
前記各リーダーＩＤと前記各プリンタＩＤに応じた画像データ読み出しタイミング発生比率のテーブルであるタイミングテーブルとを備え、
前記コントローラは、
１枚の原稿の画像データを前記リーダーから前記画像メモリへ書き込み終える前に前記画像メモリから前記プリンタに対して当該原稿の画像データを送出し始める場合、前記リーダーＩＤと前記プリンタＩＤを用いて前記タイミングテーブルを参照して得られる画像データ読み出しタイミング発生比率と、前記画像データの副走査サイズとに基づいて画像データを送出するタイミングを算出する手段を有することを特徴とする画像形成装置。
【請求項６】  原稿を画像データとして読み取るリーダーと、
画像データをシート材に画像形成するプリンタと、
前記リーダーからの画像データを受け取って画像メモリに一時的に記憶し、その画像メモリからプリンタへ画像データを送出するコントローラと、
前記リーダーの単位時間当たりの読み取り枚数を示すリーダー単位時間読み取り枚数を前記リーダーから前記コントローラへ通知するリーダー単位時間読み取り枚数通知手段と、
前記プリンタの単位時間当たりの印字枚数を示すプリンタ単位時間印字枚数を前記プリンタから前記コントローラへ通知するプリンタ単位時間印字枚数通知手段と、
前記各リーダー単位時間読み取り枚数と前記各プリンタ単位時間印字枚数に応じた画像データ読み出しタイミング発生比率のテーブルであるタイミングテーブルとを備え、
前記コントローラは、
１枚の原稿の画像データを前記リーダーから前記画像メモリへ書き込み終える前に前記画像メモリから前記プリンタに対して当該原稿の画像データを送出し始める場合、前記リーダー単位時間読み取り枚数と前記プリンタ単位時間印字枚数から前記タイミングテーブルを参照して得られる画像データ読み出しタイミング発生比率と、前記画像データの副走査サイズから画像データを送出するタイミングを算出する手段を有することを特徴とする画像形成装置。
【請求項７】  原稿を画像データとして読み取るリーダーと、画像データをシート材に画像形成するプリンタとを有し、前記リーダーからの画像データを受け取って画像メモリに一時的に記憶し、その画像メモリから前記プリンタへ画像データを送出する画像形成装置の制御方法において、
前記リーダーからの１枚の原稿の画像データを前記画像メモリへ書き込み終える前に前記画像メモリから前記プリンタに対して当該原稿の画像データを送出し始める場合、前記リーダーに関する情報と前記プリンタに関する情報とに基づいて画像データを送出するタイミングを決定して前記画像メモリに設定し、
前記リーダーで原稿の読み取りを開始し、
前記タイミングで前記画像メモリから前記プリンタへ画像データを送出することを特徴とする画像形成装置の制御方法。
【手続補正３】
【補正対象書類名】明細書
【補正対象項目名】０００１
【補正方法】変更
【補正の内容】
【０００１】
【発明の属する技術分野】
本発明は、リーダーとプリンタとの間に、この間のデータのやり取りを行うコントローラを備えた画像形成装置及びその制御方法に関するものである。
【手続補正４】
【補正対象書類名】明細書
【補正対象項目名】００１１
【補正方法】変更
【補正の内容】
【００１１】
【課題を解決するための手段】
上記目的を達成するために、本発明によれば、原稿を画像データとして読み取るリーダーと、画像データをシート材に画像形成するプリンタと、前記リーダーからの画像データを受け取って画像メモリに一時的に記憶し、その画像メモリから前記プリンタへ画像データを送出するコントローラとを備えた画像形成装置において、前記コントローラは、前記リーダーからの１枚の原稿の画像データを前記画像メモリへ書き込み終える前に前記画像メモリから前記プリンタに対して当該原稿の画像データを送出し始める場合、前記リーダーに関する情報と前記プリンタに関する情報とに基づいて画像データを送出するタイミングを決定する手段を有することを特徴とする。
また、本発明によれば、原稿を画像データとして読み取るリーダーと、画像データをシート材に画像形成するプリンタと、前記リーダーからの画像データを受け取って画像メモリに一時的に記憶し、その画像メモリから前記プリンタへ画像データを送出するコントローラと、前記リーダーの副走査側の読み取り速度であるリーダープロセススピードを前記リーダーから前記コントローラへ通知するリーダープロセススピード通知手段と、前記プリンタの副走査側の印字速度であるプリンタプロセススピードを前記プリンタから前記コントローラへ通知するプリンタプロセススピード通知手段とを備え、前記コントローラは、１枚の原稿の画像データを前記リーダーから前記画像メモリへ書き込み終える前に前記画像メモリから前記プリンタに対して当該原稿の画像データを送出し始める場合、前記リーダープロセススピードと前記プリンタプロセススピードの差分と、前記画像データの副走査サイズとに基づいて画像データを送出するタイミングを算出する手段を有することを特徴とする。
また、本発明によれば、原稿を画像データとして読み取るリーダーと、画像データをシート材に画像形成するプリンタと、前記リーダーからの画像データを受け取って画像メモリに一時的に記憶し、その画像メモリから前記プリンタへ画像データを送出するコントローラと、リーダー種別を表すリーダーＩＤを前記リーダーから前記コントローラへ通知するリーダーＩＤ通知手段と、プリンタ種別を表すプリンタＩＤを前記プリンタから前記コントローラへ通知するプリンタＩＤ通知手段と、前記リーダーの副走査側の読み取り速度であるリーダープロセススピードを前記各リーダーＩＤに対応させたテーブルであるリーダープロセススピードテーブルと、前記プリンタの副走査側の印字速度であるプリンタプロセススピードを前記各プリンタＩＤに対応させたテーブルであるプリンタプロセススピードテーブルとを備え、前記コントローラは、１枚の原稿の画像データを前記リーダーから前記画像メモリへ書き込み終える前に前記画像メモリから前記プリンタに対して当該原稿の画像データを送出し始める場合、前記リーダーＩＤにより前記リーダープロセススピードテーブルを参照して得られるリーダープロセススピードと前記プリンタＩＤにより前記プリンタプロセススピードテーブルを参照して得られるプリンタプロセススピードの差分と、前記画像データの副走査サイズとに基づいて画像データを送出するタイミングを算出する手段を有することを特徴とする。
また、本発明によれば、原稿を画像データとして読み取るリーダーと、画像データをシート材に画像形成するプリンタと、前記リーダーからの画像データを受け取って画像メモリに一時的に記憶し、その画像メモリから前記プリンタへ画像データを送出するコントローラと、前記リーダーの単位時間当たりの読み取り枚数を示すリーダー単位時間読み取り枚数を前記リーダーから前記コントローラへ通知するリーダー単位時間読み取り枚数通知手段と、前記プリンタの単位時間当たりの印字枚数を示すプリンタ単位時間印字枚数を前記プリンタから前記コントローラへ通知するプリンタ単位時間印字枚数通知手段と、前記リーダーの副走査側の読み取り速度であるリーダープロセススピードを前記各リーダー単位時間読み取り枚数に対応させたテーブルであるリーダープロセススピードテーブルと、前記プリンタの副走査側の印字速度であるプリンタプロセススピードを前記各プリンタ単位時間印字枚数に対応させたテーブルであるプリンタプロセススピードテーブルとを備え、前記コントローラは、１枚の原稿の画像データを前記リーダーから前記画像メモリへ書き込み終える前に前記画像メモリから前記プリンタに対して当該原稿の画像データを送出し始める場合、前記リーダー単位時間読み取り枚数により前記リーダープロセススピードテーブルを参照して得られるリーダープロセススピードと前記プリンタ単位時間印字枚数により前記プリンタプロセススピードテーブルを参照して得られるプリンタプロセススピードの差分と、前記画像データの副走査サイズとに基づいて画像データを送出するタイミングを算出する手段を有することを特徴とする。
また、本発明によれば、原稿を画像データとして読み取るリーダーと、画像データをシート材に画像形成するプリンタと、前記リーダーからの画像データを受け取って画像メモリに一時的に記憶し、その画像メモリから前記プリンタへ画像データを送出するコントローラと、リーダー種別を表すリーダーＩＤを前記リーダーから前記コントローラへ通知するリーダーＩＤ通知手段と、プリンタ種別を表すプリンタＩＤを前記プリンタから前記コントローラへ通知するプリンタＩＤ通知手段と、前記各リーダーＩＤと前記各プリンタＩＤに応じた画像データ読み出しタイミング発生比率のテーブルであるタイミングテーブルとを備え、前記コントローラは、１枚の原稿の画像データを前記リーダーから前記画像メモリへ書き込み終える前に前記画像メモリから前記プリンタに対して当該原稿の画像データを送出し始める場合、前記リーダーＩＤと前記プリンタＩＤを用いて前記タイミングテーブルを参照して得られる画像データ読み出しタイミング発生比率と、前記画像データの副走査サイズとに基づいて画像データを送出するタイミングを算出する手段を有することを特徴とする。
また、本発明によれば、原稿を画像データとして読み取るリーダーと、画像データをシート材に画像形成するプリンタと、前記リーダーからの画像データを受け取って画像メモリに一時的に記憶し、その画像メモリからプリンタへ画像データを送出するコントローラと、前記リーダーの単位時間当たりの読み取り枚数を示すリーダー単位時間読み取り枚数を前記リーダーから前記コントローラへ通知するリーダー単位時間読み取り枚数通知手段と、前記プリンタの単位時間当たりの印字枚数を示すプリンタ単位時間印字枚数を前記プリンタから前記コントローラへ通知するプリンタ単位時間印字枚数通知手段と、前記各リーダー単位時間読み取り枚数と前記各プリンタ単位時間印字枚数に応じた画像データ読み出しタイミング発生比率のテーブルであるタイミングテーブルとを備え、前記コントローラは、１枚の原稿の画像データを前記リーダーから前記画像メモリへ書き込み終える前に前記画像メモリから前記プリンタに対して当該原稿の画像データを送出し始める場合、前記リーダー単位時間読み取り枚数と前記プリンタ単位時間印字枚数から前記タイミングテーブルを参照して得られる画像データ読み出しタイミング発生比率と、前記画像データの副走査サイズから画像データを送出するタイミングを算出する手段を有することを特徴とする。
また、本発明によれば、原稿を画像データとして読み取るリーダーと、画像データをシート材に画像形成するプリンタとを有し、前記リーダーからの画像データを受け取って画像メモリに一時的に記憶し、その画像メモリから前記プリンタへ画像データを送出する画像形成装置の制御方法において、前記リーダーからの１枚の原稿の画像データを前記画像メモリへ書き込み終える前に前記画像メモリから前記プリンタに対して当該原稿の画像データを送出し始める場合、前記リーダーに関する情報と前記プリンタに関する情報とに基づいて画像データを送出するタイミングを決定して前記画像メモリに設定し、前記リーダーで原稿の読み取りを開始し、前記タイミングで前記画像メモリから前記プリンタへ画像データを送出することを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】